(57)【要約】【課題】間仕切収納の機能が不要である場合に広い空間をユーザに提供できる間仕切収納システムを提供する。【解決手段】間仕切収納システム１は一対の縦枠１０と、一対の縦枠１０の間に配置される間仕切収納部材２０と、一対の縦枠１０、天井２４０、および、壁２２０の少なくとも１つに支持され、間仕切収納部材２０を分解して収納可能である収納部１１０とを備える。【選択図】図１
2020056182.tif 000002
【特許請求の範囲】
【請求項１】
一対の縦枠と、
前記一対の縦枠の間に配置される間仕切収納部材と、
前記一対の縦枠、天井、および、壁の少なくとも１つに支持され、前記間仕切収納部材を分解して収納可能である収納部とを備える
間仕切収納システム。
【請求項２】
前記間仕切収納部材は前記一対の縦枠に接続される基礎棚板を含む
請求項１に記載の間仕切収納システム。
【請求項３】
前記基礎棚板および前記縦枠の一方に設けられる凸部と、
前記基礎棚板および前記縦枠の他方に設けられ、前記凸部が挿入される凹部とを備える
請求項２に記載の間仕切収納システム。
【請求項４】
前記収納部の容積は前記間仕切収納部材の全体の体積に基づいて決められる
請求項１〜３のいずれか一項に記載の間仕切収納システム。
【請求項５】
前記収納部は前記間仕切収納部材を出し入れできる開口部、および、前記開口部を開閉する下開き扉を含む
請求項１〜４のいずれか一項に記載の間仕切収納システム。
【請求項６】
前記収納部は前記開口部の一部を閉鎖するように設けられる補強部を含む
請求項５に記載の間仕切収納システム。
【発明の詳細な説明】
【技術分野】
【０００１】
本発明は間仕切収納システムに関する。
【背景技術】
【０００２】
ユーザの生活スタイルに応じて様々な形態に変化させることのできる間仕切収納システムが知られている。その一例である特許文献１に記載の間仕切り収納装置(３１)は上枠(３)、下枠(３３)、上枠(３)および下枠(３３)に接続される一対の側枠(４)、(５)、ならびに、上枠(３)および下枠(３３)に支持される複数の仕切板(３４)を備える。この間仕切り収納装置(３１)は複数の仕切板(３４)が間仕切収納を構成するように上枠(３)および下枠(３３)に沿って並べられることによって、部屋(３２)が２つの空間に仕切られる。間仕切収納の機能が不要である場合、仕切板(３４)は側枠(４)の近傍にまとめて並べられる。
【先行技術文献】
【特許文献】
【０００３】
【特許文献１】特開２００４−１９３８８号公報
【発明の概要】
【発明が解決しようとする課題】
【０００４】
間仕切収納の機能が不要である場合に広い空間がユーザに提供されることが好ましい。
【課題を解決するための手段】
【０００５】
(１)本発明に関する間仕切収納システムは一対の縦枠と、前記一対の縦枠の間に配置される間仕切収納部材と、前記一対の縦枠、天井、および、壁の少なくとも１つに支持され、前記間仕切収納部材を分解して収納可能である収納部とを備える。
上記間仕切収納システムによれば、間仕切収納の機能が不要である場合、間仕切収納部材を分解して収納部に収納できるため、一対の縦枠の間に広いスペースが確保される。このため、間仕切収納の機能が不要である場合に、広い空間をユーザに提供できる。
【０００６】
(２)好ましい例では(１)に記載の間仕切収納システムにおいて、前記間仕切収納部材は前記一対の縦枠に接続される基礎棚板を含む。
このため、間仕切収納システムの水平方向の強度が高められる。
【０００７】
(３)好ましい例では(２)に記載の間仕切収納システムにおいて、前記基礎棚板および前記縦枠の一方に設けられる凸部と、前記基礎棚板および前記縦枠の他方に設けられ、前記凸部が挿入される凹部とを備える。
このため、縦枠と基礎棚板との位置決めを容易に実施できる。
【０００８】
(４)好ましい例では(１)〜(３)のいずれか一項に記載の間仕切収納システムにおいて、前記収納部の容積は前記間仕切収納部材の全体の体積に基づいて決められる。
このため、間仕切収納部材を収納部に容易に収納できる。
【０００９】
(５)好ましい例では(１)〜(４)のいずれか一項に記載の間仕切収納システムにおいて、前記収納部は前記間仕切収納部材を出し入れできる開口部、および、前記開口部を開閉する下開き扉を含む。
扉が開口部を開放している状態において扉が自重で閉じないため、開口部を介して間仕切収納部材を容易に出し入れできる。
【００１０】
(６)好ましい例では(５)に記載の間仕切収納システムにおいて、前記収納部は前記開口部の一部を閉鎖するように設けられる補強部を含む。
このため、収納部の開口部側についても剛性が高められる。
【発明の効果】
【００１１】
本発明に関する間仕切収納システムによれば、間仕切収納の機能が不要である場合に広い空間をユーザに提供できる。
【図面の簡単な説明】
【００１２】
【図１】実施形態の間仕切収納システムの第１形態の正面図。
【図２】図１の間仕切収納システムの第２形態の正面図。
【図３】図１のＤ３−Ｄ３線に沿う断面図。
【図４】図１の収納部に収納される間仕切収納部材の斜視図。
【図５】図３のＤ５−Ｄ５線に沿う断面図。
【図６】図１の扉が開放状態のときの収納部の断面図。
【図７】図１の扉のロック機構の拡大図。
【図８】図３のＤ８−Ｄ８線に沿う断面図。
【図９】図３のＤ９−Ｄ９線に沿う断面図。
【図１０】図３のＤ１０−Ｄ１０線に沿う断面図。
【図１１】図３のＤ１１−Ｄ１１線に沿う断面図。
【図１２】図３のＤ１２−Ｄ１２線に沿う断面図。
【図１３】図３のＤ１３−Ｄ１３線に沿う断面図。
【図１４】図３のＤ１４−Ｄ１４線に沿う断面図。
【図１５】図２の間仕切収納システムの使用方法の一例を示す断面図。
【図１６】図１５の間仕切収納システムの使用方法の一例を示す断面図。
【発明を実施するための形態】
【００１３】
(実施形態)
図１に示される間仕切収納システム１は建築物２００の屋内、または、屋外の床、壁、天井等を有する場所に設置される。建築物２００の一例は個別住宅、集合住宅、蔵、納屋、および、車庫である。間仕切収納システム１が建築物２００に設けられる室２１０の中間部に設置される場合、間仕切収納の機能によって室２１０が区画され、さらには、間仕切収納の壁厚を利用した収納の機能を利用できる。間仕切収納システム１が建築物２００に設けられる室２１０の壁際に設置される場合、間仕切収納の壁厚を利用した収納の機能のみを利用できる。室２１０の一例はリビング、ダイニング、リビングダイニング、寝室、応接室、書斎、玄関、廊下、階段室、トイレ、洗面所、脱衣所、浴室、物置、および、納戸である。
【００１４】
近年では、ユーザの生活スタイルの変化に応じて室２１０の利用形態を多様に変更できることが望まれている。ユーザの生活スタイルの変化の一例はユーザの家族構成の変化である。間仕切収納システム１は室２１０の利用形態を多様に変更できるように構成されている。間仕切収納システム１の形態は室２１０の利用形態に応じてユーザに選択される第１形態(図１参照)、および、第２形態(図２参照)を含む。第１形態は室２１０を第１空間３１０および第２空間３２０(いずれも図３参照)に区画する形態である。第２形態は室２１０を区画しない形態である。
【００１５】
図１に示されるように、間仕切収納システム１を構成する主な要素は一対の縦枠１０、間仕切収納部材２０、収納部１１０、および、配線構造１２０(図３参照)である。一対の縦枠１０は室２１０の壁２２０に固定される。一対の縦枠１０は収納部１１０を支持する。一対の縦枠１０を構成する材料は任意に選択できる。一例では、一対の縦枠１０を構成する材料は木である。
【００１６】
間仕切収納部材２０は間仕切収納システム１が第１形態の場合に一対の縦枠１０、収納部１１０、および、室２１０の床２３０によって囲まれる開口部４００に配置される。間仕切収納部材２０を構成する材料は任意に選択できる。好ましい例では、間仕切収納部材２０はユーザが容易に持ち運べるように軽量な材料によって構成される。その一例は木である。間仕切収納部材２０の種類は多種多様である。一例では、間仕切収納部材２０は複数の基礎棚板３０、複数の非開口パネル４０、複数の開口パネル５０、複数の引出ユニット６０、複数の仕切板７０、および、複数の小棚板８０を含む。
【００１７】
図４に示される基礎棚板３０は一対の縦枠１０に接続される。このため、間仕切収納システム１の水平方向、換言すれば、基礎棚板３０の短手方向の強度が高められる。基礎棚板３０は支持部３１、凸部３２、および、複数の溝３３を備える。支持部３１は非開口パネル４０、開口パネル５０、引出ユニット６０、および、仕切板７０を支持する。凸部３２は支持部３１の長手方向の端面３１Ａから突出する。凸部３２は一対の縦枠１０の凹部１１(図８参照)に挿入される。このため、縦枠１０と基礎棚板３０との位置決めを容易に実施できる。凸部３２が凹部１１に挿入されることによって、一対の縦枠１０に対する基礎棚板３０の短手方向の移動が規制される。複数の溝３３は非開口パネル４０、開口パネル５０のフレーム５１、および、引出ユニット６０のフレーム６２(図４参照)が嵌めこまれる。複数の溝３３は支持部３１の長手方向に沿って設けられる。基礎棚板３０に設けられる溝３３の数は１または複数である。一例では、１枚の基礎棚板３０には、４つの溝３３が設けられる。
【００１８】
非開口パネル４０は間仕切収納システム１が第１形態の場合に溝３３に嵌め込まれることによって、第１空間３１０および第２空間３２０の一方から他方を視認できないように開口部４００を遮蔽する。非開口パネル４０の溝３３への嵌め込み方式はケンドン式である。このため、非開口パネル４０を容易に設置できる。
【００１９】
開口パネル５０は基礎棚板３０または小棚板８０に置かれた物体を出し入れするために利用される。開口パネル５０は基礎棚板３０の溝３３に嵌め込まれるフレーム５１、フレーム５１に取り付けられる建具５２、および、建具５２に取り付けられる取手５３を備える。フレーム５１の溝３３への嵌め込み方式はケンドン式である。このため、開口パネル５０を容易に設置できる。建具５２は例えば、戸である。戸の種類は例えば、両開きの開き戸、片引きの引戸、引違の引戸、引分の引戸、片引きの吊戸、引違の吊戸、引分の吊戸、上開き戸、下開き戸、および、折戸等である。図４等に示される例では、建具５２は上開き戸、両開きの開き戸、および、引違の引戸である。取手５３は建具５２に着脱可能である。取手５３は建具５２に設けられる穴５２Ａ(図４参照)に取り付けられる。
【００２０】
引出ユニット６０は基礎棚板３０に載せられる。引出ユニット６０は物品を収納可能であるユニット本体６１、ユニット本体６１が一対の縦枠１０から飛び出すことを抑制するフレーム６２、および、ユニット本体６１に取り付けられる取手６３を備える。フレーム６２は基礎棚板３０の溝３３にはめ込まれる。フレーム６２の溝３３への嵌め込み方式はケンドン式である。このため、フレーム６２を容易に設置できる。取手６３はユニット本体６１に着脱可能である。取手６３はユニット本体６１に設けられる穴６１Ａ(図４参照)に取り付けられる。
【００２１】
複数の仕切板７０は一対の縦枠１０の長手方向に並べられた基礎棚板３０の間の領域を区画する。複数の仕切板７０にはそれぞれ連結ダボ９０(図１６参照)が取り付けられる。連結ダボ９０が基礎棚板３０の支持部３１に設けられる穴３１Ｂ(図４参照)に挿入されることによって、基礎棚板３０と仕切板７０とが連結される。
【００２２】
複数の小棚板８０は基礎棚板３０の長手方向に沿って並べられた仕切板７０のうちの隣り合う仕切板７０の間の領域を区画する。小棚板８０は仕切板７０に取り付けられる支持ダボ１００(図３参照)に支持される。
【００２３】
収納部１１０は室２１０の壁２２０および天井２４０に固定される。収納部１１０は一対の縦枠１０と天井２４０との間に設けられ、一対の縦枠１０の端部に支持される。換言すれば、収納部１１０は一対の縦枠１０の上方に設置される。このため、間仕切収納の機能が不要である場合に、一対の縦枠１０の間をユーザが容易に通過できる。収納部１１０は第２形態の間仕切収納システム１において、分解された間仕切収納部材２０を収納できるように構成された箱である。収納部１１０を構成する主な要素は一対の側壁１１１(図１参照)、上壁１１２、底壁１１３、背壁１１４、補強部１１５、および、扉１１６である。間仕切収納部材２０を収納する収納空間１１０Ａを形成する箱が構成されるように、各側壁１１１、上壁１１２、底壁１１３、背壁１１４、および、補強部１１５が結合手段により結合されている。結合手段の一例はねじ、接着剤、および、凹凸により構成される嵌合構造である。各壁１１１〜１１４により構成される箱の開口部１１０Ｂの一部を閉鎖するように、補強部１１５が底壁１１３に連結されている。このため、収納部１１０の剛性が高められる。開口部１１０Ｂを開閉できるように補強部１１５に扉１１６が連結されている。扉１１６の種類は任意に選択可能である。図６等に示される例では、扉１１６は例えば下開き扉である。扉１１６が開口部１１０Ｂを開放している状態において扉１１６が自重で閉じないため、開口部１１０Ｂを介して間仕切収納部材２０を容易に出し入れできる。補強部１１５と扉１１６とを連結する手段の一例はヒンジである。上壁１１２は天井２４０の桟、合板、または、梁等(いずれも図示略)に任意の結合手段により結合されている。
【００２４】
図７に示されるように、扉１１６には、扉１１６が開口部１１０Ｂを閉鎖した状態(以下「閉鎖状態」という)を維持するためのロック機構１１７が設けられる。ロック機構１１７は扉１１６のそれぞれに設けられる。ロック機構１１７はバー１１７Ａ、複数のラッチ１１７Ｂ、および、圧縮ばね１１７Ｃを含む。バー１１７Ａは扉１１６が閉鎖状態において、開口部１１０Ｂを開放する場合にユーザによって操作される。複数のラッチ１１７Ｂは扉１１６の閉鎖状態において、上壁１１２に設けられる穴１１２Ａ(図６参照)に挿入される。複数のラッチ１１７Ｂはバー１１７Ａと連結される。一例では、ロック機構１１７は２本のラッチ１１７Ｂを含む。圧縮ばね１１７Ｃは扉１１６の閉鎖状態において、バー１１７Ａ、および、複数のラッチ１１７Ｂを上壁１１２に接近する方向に付勢する。このため、扉１１６の閉鎖状態においては、複数のラッチ１１７Ｂが上壁１１２の穴１１２Ａに挿入された状態が維持される。ユーザは開口部１１０Ｂが開放された状態(以下「開放状態」という)とする場合には、バー１１７Ａを圧縮ばね１１７Ｃの付勢力に抗して押し下げる。複数のラッチ１１７Ｂが上壁１１２の穴１１２Ａから抜かれるため、扉１１６が補強部１１５に対して回転し、扉１１６が開放状態となる。一方、扉１１６の閉鎖状態では、複数のラッチ１１７Ｂが上壁１１２の穴１１２Ａに挿入されているため、例えば、収納部１１０が振動した場合であっても、扉１１６の閉鎖状態が維持されやすい。
【００２５】
収納部１１０の容積は任意に選択できる。好ましい例では、収納部１１０の容積は間仕切収納部材２０の全体の体積に基づいて決められる。このため、間仕切収納部材２０を収納部１１０に容易に収納できる。一例では、収納部１１０の容積は間仕切収納部材２０の全体が収納できるように決められる。別の例では、収納部１１０の容積に応じて間仕切収納部材２０の全体の体積が調整される。収納部１１０における間仕切収納部材２０の収納方法は任意に選択できる。一例では、図６に示されるように、底壁１１３に複数の基礎棚板３０が重ねて収納される。複数の基礎棚板３０の上には、図４に示されるように、非開口パネル４０、開口パネル５０、引出ユニット６０、仕切板７０、および、小棚板８０が載せられる。収納部１１０に収納された基礎棚板３０が収納部１１０の剛性に寄与するため、収納部１１０の剛性が一層高められる。好ましい例では、非開口パネル４０、開口パネル５０、引出ユニット６０、仕切板７０、小棚板８０、および、その他の部品等はそれぞれ、専用のボックス２１に収納された状態で基礎棚板３０に載せられる。このため、収納部１１０に収納可能である非開口パネル４０、開口パネル５０、引出ユニット６０、仕切板７０、小棚板８０、および、その他の部品等の種類および数を容易に把握できる。その他の部品の一例は取手５３、６３、連結ダボ９０、支持ダボ１００、および、間仕切収納システム１の取扱説明書２２である。
【００２６】
基礎棚板３０および小棚板８０には、電気機器が置かれることがある。電気機器の一例はタブレット端末、スマートフォン、ノート型パーソナルコンピュータ、スピーカー、充電器、テレビ、および、照明である。図３等に示される配線構造１２０は電気機器に電力を供給する配線２５０を保護するように設けられる。図８に示されるように、配線構造１２０を構成する主な要素は配線カバー１３０および結合部１４０である。
【００２７】
配線カバー１３０は縦枠１０との間に配線スペース１３０Ａが設けられるように設置される。配線カバー１３０が設置される場所は、配線スペース１３０Ａを設ける位置に応じて任意に選択できる。図８等に示される例では、配線カバー１３０は縦枠１０の幅方向の一方の端面１０Ａと壁２２０との間に配線スペース１３０Ａが設けられるように配置される。配線カバー１３０を構成する材料は任意に選択できる。好ましい例では、配線カバー１３０はユーザが容易に持ち運びできるように軽量な材料によって構成される。その一例は木である。
【００２８】
配線カバー１３０は第１カバー１３１、および、第１カバー１３１に組み合わせられることによって配線スペース１３０Ａを形成する第２カバー１３２を含む。縦枠１０の任意の位置に配線スペース１３０Ａを設けることができるため、配線の自由度が高められる。第１カバー１３１および第２カバー１３２の形状は任意に選択できる。図８等に示される第１例では、第１カバー１３１および第２カバー１３２の形状は直方体である。第２例では、第１カバー１３１および第２カバー１３２の形状は立方体である。第３例では、第１カバー１３１および第２カバー１３２の形状は三角柱、または、五角柱以上の多角柱である。図８等に示される例では、第１カバー１３１と第２カバー１３２とは同じ形状である。第１カバー１３１と第２カバー１３２とを異なる形状としてもよい。
【００２９】
結合部１４０は配線カバー１３０と縦枠１０とを結合する。このため、配線カバー１３０の位置が安定する。結合部１４０による配線カバー１３０と縦枠１０との結合手段は任意に選択できる。第１例では、結合部１４０による配線カバー１３０と縦枠１０との結合手段は磁力である。このため、結合部１４０の構成を簡素化できる。第２例では、結合部１４０による配線カバー１３０と縦枠１０との結合手段は凹凸による嵌合、粘着テープ、または、ねじである。
【００３０】
結合部１４０は鋼板１４１、マグネット１４２、および、マグネットシート１４３を含む。鋼板１４１は縦枠１０の長手方向に沿って設けられる。鋼板１４１は第１部分１４１Ａおよび第２部分１４１Ｂに区分される。第１部分１４１Ａおよび第２部分１４１Ｂは１枚の鋼板１４１が折り曲げられることにより区分される部分である。第１部分１４１Ａは縦枠１０の端面１０Ａに結合される。第１部分１４１Ａと縦枠１０との結合手段の一例はねじである。第２部分１４１Ｂは壁２２０と結合される。第２部分１４１Ｂと壁２２０との結合手段の一例はねじである。一対の縦枠１０の間に配線構造１２０が存在しないため、一対の縦枠１０の間に物品を配置するための広いスペースを確保できる。
【００３１】
マグネット１４２は配線カバー１３０と鋼板１４１とを磁力によって結合する。マグネット１４２は第１マグネット１４２Ａおよび第２マグネット１４２Ｂを含む。第１マグネット１４２Ａは１つの第１カバー１３１に１または複数設けられる。第２マグネット１４２Ｂは１つの第２カバー１３２に１または複数設けられる。マグネットシート１４３は側面が配線カバー１３０の側面と接触することによって、配線カバー１３０が配線スペース１３０Ａに入り込むことを規制する。マグネットシート１４３は鋼板１４１と縦枠１０および壁２２０とを結合するねじを覆うことによって、配線構造１２０の美観を高める。マグネットシート１４３は第１シート１４３Ａおよび第２シート１４３Ｂを含む。第１シート１４３Ａは鋼板１４１の第１部分１４１Ａに取り付けられる。第２シート１４３Ｂは鋼板１４１の第２部分１４１Ｂに取り付けられる。
【００３２】
図３に示されるように、配線カバー１３０はブロック状である。配線カバー１３０は第１カバー１３１と第２カバー１３２との組が縦枠１０の長手方向に沿って積み上げられるように配置される。積み上げられた配線カバー１３０には、配線２５０を引き込むため、および、配線２５０を引き出すための開口１３０Ｂが形成される。開口１３０Ｂは配線２５０の引き込み位置および引き出し位置に応じて第１カバー１３１または第２カバー１３２が取り外されることによって形成される。このため、配線カバー１３０に切断等の加工をすることなく縦枠１０の長手方向の任意の位置から配線２５０の引き込み、および、引き出しを容易に実施できる。なお、開口１３０Ｂが形成される位置以外では、第１カバー１３１と第２カバー１３２とが結合した構成であってもよい。
【００３３】
図９〜図１４は配線カバー１３０における開口１３０Ｂの一例である。図９に示されるように、第２カバー１３２が鋼板１４１から取り外されることによって、開口１３０Ｂが形成される場合、第１シート１４３Ａを介して鋼板１４１の第１部分１４１Ａと対向する部分から配線２５０を配線スペース１３０Ａに容易に引き込むことができる。図１０に示されるように、第１カバー１３１が鋼板１４１から取り外されることによって、開口１３０Ｂが形成される場合、第２シート１４３Ｂを介して鋼板１４１の第２部分１４１Ｂと対向する部分から配線２５０を配線スペース１３０Ａに容易に引き込むことができる。図１１および図１３に示されるように、第１カバー１３１および第２カバー１３２が鋼板１４１に取り付けられている場合、配線スペース１３０Ａに配置されている１または複数の配線２５０を保護できる。図１２および図１４に示されるように、第１カバー１３１が鋼板１４１から取り外されることによって、開口１３０Ｂが形成される場合、第２シート１４３Ｂを介して鋼板１４１の第２部分１４１Ｂと対向する部分から１または複数の配線２５０を配線スペース１３０Ａから容易に引き出すことができる。開口１３０Ｂから引き出された配線２５０は例えば、図５に示されるように、基礎棚板３０と間仕切収納部材２０との隙間を通るように配置される。
【００３４】
間仕切収納システム１の使用方法の一例について説明する。
間仕切収納システム１の形態を第２形態から第１形態に変更する場合、収納部１１０に収納されている間仕切収納部材２０が収納部１１０から取り出される。次に、図１５に示されるように、間仕切収納システム１の高さ方向において最も下方に配置される基礎棚板３０の凸部３２が一対の縦枠１０の凹部１１に挿入される。以降は、第１工程と第２工程とが繰り返し実施される。第１工程は複数の仕切板７０に取り付けられた連結ダボ９０を基礎棚板３０の穴３１Ｂに挿入することによって、複数の仕切板７０と基礎棚板３０とを連結する工程である。第２工程は、図１６に示されるように、基礎棚板３０と連結されている複数の仕切板７０の連結ダボ９０と別の基礎棚板３０とが連結されるように、かつ、基礎棚板３０の凸部３２が一対の縦枠１０の凹部１１に挿入されるように基礎棚板３０を配置する工程である。第１工程および第２工程は間仕切収納システム１の高さ方向において最も上方に配置される基礎棚板３０の配置が完了するまで繰り返し実施される。その後、ユーザの好みに応じて、非開口パネル４０、開口パネル５０、引出ユニット６０、および、小棚板８０が配置される。
【００３５】
間仕切収納システム１の作用および効果について説明する。
間仕切収納の機能が不要である場合、換言すれば、第２形態の場合に間仕切収納部材２０を収納部１１０に収納できるため、一対の縦枠１０の間に広いスペースが確保される。このため、広い空間をユーザに提供できる。また、建築物２００の施工において、間仕切の位置を示す墨出しが不要であるため、建築物２００を容易に施工できる。
【００３６】
(変形例)
上記実施形態は本発明に関する間仕切収納システムが取り得る形態の例示であり、その形態を制限することを意図していない。本発明に関する間仕切収納システムは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３７】
・収納部１１０が設けられる位置は任意に変更可能である。変形例の間仕切収納システム１では、収納部１１０は一対の縦枠１０の間に設けられる。
・収納部１１０の構成は任意に変更可能である。変形例の間仕切収納システム１では、収納部１１０は収納空間１１０Ａを複数の空間に区画する区画部材をさらに備える。
【００３８】
・基礎棚板３０および一対の縦枠１０の構成は任意に変更可能である。変形例の間仕切収納システム１では、基礎棚板３０に凹部が設けられ、一対の縦枠１０に基礎棚板３０の凹部に挿入される凸部が設けられる。
【符号の説明】
【００３９】
１      ：間仕切収納システム
１０    ：縦枠
１０Ａ  ：端面
１１    ：凹部
２０    ：間仕切収納部材
３０    ：基礎棚板
３２    ：凸部
１１０  ：収納部(間仕切収納部材の収納部)
１１０Ｂ：開口部
１１５  ：補強部
１１６  ：扉(下開き扉)
２２０  ：壁
２４０  ：天井
【図１】
2020056182.tif 000003
【図２】
2020056182.tif 000004
【図３】
2020056182.tif 000005
【図４】
2020056182.tif 000006
【図５】
2020056182.tif 000007
【図６】
2020056182.tif 000008
【図７】
2020056182.tif 000009
【図８】
2020056182.tif 000010
【図９】
2020056182.tif 000011
【図１０】
2020056182.tif 000012
【図１１】
2020056182.tif 000013
【図１２】
2020056182.tif 000014
【図１３】
2020056182.tif 000015
【図１４】
2020056182.tif 000016
【図１５】
2020056182.tif 000017
【図１６】
2020056182.tif 000018